(57)【特許請求の範囲】
【請求項１】
病室壁部に設置され、ガス供給源からガスが導かれ、または吸引力が導かれるガス供給ソケットと、前記ガス供給ソケットに着脱自在に装着される差込プラグとを含む医療用ガス配管接続装置であって、
前記ガス供給ソケットは、
ガスの流入口および排出口を備えたソケット本体と、
前記ソケット本体内に、前記排出口の軸線に沿って弾発的に付勢された状態で設置され、この状態で前記排出口を封止し、前記弾発的に付勢する力に抗する力が作用したときには、前記弾発的に付勢される方向とは逆方向に移動して前記排出口を開くように作動する弁体と、
前記排出口にその軸線方向に同軸に連接されて前記差込プラグを気密的に差込み可能とされる筒状のソケット部とを含み、
前記ソケット部および差込プラグには、前記軸線方向に沿った２個所の異なる保持位置で、差込まれた前記差込プラグを保持するロック手段が設けられ、
前記ロック手段による２個所の異なる保持位置は、前記ソケット部に差込まれた差込プラグを、その先端が前記弁体に接触しない位置に保持する第１の位置と、前記ソケット部に差込まれた差込プラグを、その先端が前記弁体を前記弾発的に付勢される力に抗して押圧し、前記排出口を開放して前記ソケット本体内のガスが前記排出口を経て差込プラグ内に流入し得る状態に保持する第２の位置とに設定されることを特徴とする医療用ガス配管接続装置。
【請求項２】
前記ロック手段は、前記ソケット部の周壁部に一半径線方向に移動自在にかつ前記ソケット部の軸線に近接する方向に弾発的に付勢された状態で、一部が前記ソケット部の内壁面から内方に突出するよう保持された２つのロック部材と、前記差込プラグの外周部に形成され、前記２つのロック部材における前記内壁面から内方に突出する部分に係合可能な係合溝部とによって構成されることを特徴とする請求項１に記載の医療用ガス配管接続装置。
【請求項３】
前記ガス供給ソケットは、前記ソケット部が着脱可能に接続されるケーシングを有し、前記ケーシングには、前記差込プラグによって押圧される弁体よりもガスの供給方向上流側に設けられ、前記ソケット部を前記ケーシングに装着すると、弁孔を開放し、前記ソケット部を前記ケーシングから離脱させると、ガス供給源からのガス圧によって前記弁孔を閉鎖する流路開閉手段が設けられることを特徴とする請求項２に記載の医療用ガス配管接続装置。
【請求項４】
前記ガス供給ソケットには、前記差込プラグの前記２個所の保持位置での差込保持状態を識別表示する表示手段が設けられていることを特徴とする請求項１〜３のいずれか１つに記載の医療用ガス配管接続装置。
【発明の詳細な説明】
【技術分野】
【０００１】
本発明は、治療室および一般病室などの壁部に設けられて、治療に必要なたとえば酸素、笑気および空気などの医療用ガスを供給し、または汚物等を吸引するアウトレット装置における医療用ガス配管接続装置に関する。
【背景技術】
【０００２】
医療用ガス配管接続装置の典型的な従来技術は、特許文献１に示されている。このような医療用ガス配管接続装置は、病室壁部に設置されるガス供給ソケットと、前記ガス供給ソケットに着脱自在に装着されるガス受給用差込プラグとを含む。医療用ガスとしては、たとえば、酸素ガス、笑気および空気などが用いられる。またガス受給用差込プラグには、汚物などを吸引するための吸引力が導かれる。治療室および一般病室などの壁部には、これらの医療用ガス毎および吸引力が導かれるアウトレットとも称される複数のガス供給ソケットが設置され、各ガス供給ソケットに対応するガス受給用差込プラグが必要に応じて差込み装着される。
【０００３】
差込プラグは、前記ガス供給ソケットに対して、所定の位置まで差込まれ、これによって、ガス供給ソケット内に弾発的に付勢された状態で収容された弁体を、この弾発力に抗して後退させてガスの排出口を開放させ、ガス供給ソケットに導入されている医療用ガスを前記排出口を介して差込プラグ内のガス管路に流入させ、治療に用いることができるように構成されている。使用後は、差込プラグをガス供給ソケットから抜取ることによって、弁体が前記弾発付勢力によって前記排出口を封止する位置に復帰し、抜出された差込プラグは所定の保管位置に保管される。
【先行技術文献】
【特許文献】
【０００４】
【特許文献１】特開平４−３４１２７３号公報
【発明の概要】
【発明が解決しようとする課題】
【０００５】
このような医療用ガス配管接続装置においては、医療用ガスを使用する度に、所定のガスに対応する差込プラグを保管位置から取出し、対応するガス供給ソケットに差込み装着される。治療態様によって、医療用ガスの使用が頻繁に繰返される場合、その都度、保管位置から差込プラグを取出し、所定のガス供給ソケットに差込み装着する作業が短い時間で繰返されることになり、このような作業は、大変煩わしく、多大な手間を強いることになる。
【０００６】
本発明の目的は、差込プラグの抜差し操作を簡略化して治療作業の効率化を図ることができる医療用ガス配管接続装置を提供することである。
【課題を解決するための手段】
【０００７】
本発明は、病室壁部に設置され、ガス供給源からガスが導かれ、または吸引力が導かれるガス供給ソケットと、前記ガス供給ソケットに着脱自在に装着される差込プラグとを含む医療用ガス配管接続装置であって、
前記ガス供給ソケットは、
ガスの流入口および排出口を備えたソケット本体と、
前記ソケット本体内に、前記排出口の軸線に沿って弾発的に付勢された状態で設置され、この状態で前記排出口を封止し、前記弾発的に付勢する力に抗する力が作用したときには、前記弾発的に付勢される方向とは逆方向に移動して前記排出口を開くように作動する弁体と、
前記排出口にその軸線方向に同軸に連接されて前記差込プラグを気密的に差込み可能とされる筒状のソケット部とを含み、
前記ソケット部および差込プラグには、前記軸線方向に沿った２個所の異なる保持位置で、差込まれた前記差込プラグを保持するロック手段が設けられ、
前記ロック手段による２個所の異なる保持位置は、前記ソケット部に差込まれた差込プラグを、その先端が前記弁体に接触しない位置に保持する第１の位置と、前記ソケット部に差込まれた差込プラグを、その先端が前記弁体を前記弾発的に付勢される力に抗して押圧し、前記排出口を開放して前記ソケット本体内のガスが前記排出口を経て差込プラグ内に流入し得る状態に保持する第２の位置とに設定されることを特徴とする医療用ガス配管接続装置である。
【０００８】
本発明に従えば、病室壁部に設置されるガス供給ソケットに差込プラグが着脱自在に装着される。そして、差込プラグのガス供給ソケットに対する装着状態は、前記ロック手段によって、軸線に沿った２個所の異なる位置で保持が可能とされる。第１の保持位置は、ソケット本体のガスの排出口にその軸線に沿って同軸に連接されたソケット部に差込まれた差込プラグを、その先端が前記弁体に接触しない状態に保持する位置である。したがって、この状態では、差込プラグは、ソケット部に差込み状態で保持されるが、弁体には作用せず、前記排出口は閉鎖されたままで、この状態で待機させることができる。また、第２の保持位置は、前記ソケット部に差込まれた差込プラグを、その先端が前記弁体を前記弾発力に抗して押圧し、前記排出口を開放して前記ソケット本体内のガスが前記排出口を経て差込プラグ内に流入し得る状態に保持する位置である。
【０００９】
前記第１の位置から、差込プラグをさらに押し込むと、前記弁体が作動して排出口が開放され、ソケット本体にガス供給源から導入されているガスまたは吸引力が、排出口を経て差込プラグ内に導かれ、必要部位での使用に供される。この使用を停止する際は、ロック手段による差込プラグのロック状態を解除すると、前記弁体が前記弾発力の作用によって、前記排出口を閉鎖する位置に復帰し、差込プラグは前記第１の保持位置で保持され、待機状態とされる。これによって、差込プラグを別途に準備された保管位置に戻し、あるいは保管位置から取り出すような煩わしい作業の繰り返しが不要とされ、治療作業の効率化が図られる。
【００１０】
また本発明の前記ロック手段は、前記ソケット部の周壁部に一半径線方向に移動自在にかつ前記ソケット部の軸線に近接する方向に弾発的に付勢された状態で、一部が前記ソケット部の内壁面から内方に突出するよう保持された２つのロック部材と、前記差込プラグの外周部に形成され、前記２つのロック部材における前記内壁面から内方に突出する部分に係合可能な係合溝部とによって構成されることを特徴とする。
【００１１】
本発明に従えば、前記ロック手段は前記２つのロック部材および前記係合溝部によって構成されるので、差込プラグのソケット部における前記２個所の異なる保持位置での保持状態を容易に実現することができる。そして、２つのロック部材は、前記ソケット部の周壁部に一半径線方向に移動自在にかつ前記ソケット部の軸線に近接する方向に弾発的に付勢された状態で、一部が前記ソケット部の内壁面から内方に突出するように保持されているので、差込プラグをソケット部に差込み操作するだけで、各ロック部材のいずれか一方が前記係合溝部に係合して、前記差込プラグを前記２個所の保持位置のいずれかで確実に保持し、安定的な保持状態を維持することができる。
【００１２】
さらに本発明は、前記ガス供給ソケットは、前記ソケット部が着脱可能に接続されるケーシングを有し、前記ケーシングには、前記差込プラグによって押圧される弁体よりもガスの供給方向上流側に設けられ、前記ソケット部を前記ケーシングに装着すると、弁孔を開放し、前記ソケット部を前記ケーシングから離脱させると、ガス供給源からのガス圧によって前記弁孔を閉鎖する流路開閉手段が設けられることを特徴とする。
【００１３】
本発明に従えば、前記ガス供給ソケットには、ソケット部をケーシングに装着すると、弁孔を開放し、ソケット部をケーシングから離脱させると、ガス供給源からのガス圧によって前記弁孔を閉鎖する流路開閉手段が設けられるので、前記弁孔を開閉するための弁体など部品を閉弁状態に保持するばねを必要とせず、部品点数を削減して、ガス供給ソケットの構成を簡素化することができる。
【００１４】
さらに本発明は、前記ガス供給ソケットには、前記差込プラグの前記２個所の保持位置での差込保持状態を識別表示する表示手段が設けられていることを特徴とする。
【００１５】
本発明に従えば、ガス供給ソケットに対する前記差込プラグの差込保持状態が表示手段によって表示されるので、差込プラグが第１の保持位置に保持されているか、第２の保持位置に保持されているかを装置の外部から容易に識別することができる。これによって、差込プラグがガス供給ソケットに保持された状態が、ガスの供給または吸引力が阻止されている状態であるか、ガスが供給されまたは吸引力が導かれている状態かを、この表示手段の表示によって容易かつ確実に認識することができる。
【発明の効果】
【００１６】
本発明に係る医療用ガス配管接続装置によれば、医療用ガスまたは吸引力の使用の度に、差込プラグを保管位置から取り出し、ガス供給ソケットに差込むような煩わしい作業が不要とされ、差込プラグの操作を簡略化して治療作業の効率化を図ることができる。たとえば医療用ガスまたは吸引力を使用しないときには、差込プラグを前記第１の保持位置に保持した状態とし、医療用ガスまたは吸引力の使用時に、前記第１の保持位置で保持されている差込プラグをさらに押し込み操作することによって、医療用ガスまたは吸引力の供給が可能となるため、治療態様によって、医療用ガスの使用が頻繁に繰返されるような場合に、その抜差し操作が簡略化される点は特に有効であり、実益が大である。
【図面の簡単な説明】
【００１７】
【図１】本発明の一実施態の医療用ガス配管接続装置１の縦断面図である。
【図２】図１におけるガス供給ソケット２の矢符ＩＩ方向から見た正面図である。
【図３】ソケット部８から係止ピン２７〜３０を離脱させた状態を示す分解斜視図である。
【図４】作動リング１９の縦断面図である。
【図５】ロック手段３３の作動原理を説明する図であり、図５（ａ）は差込プラグ３の挿入途中の状態を示し、図５（ｂ）は差込プラグ３が第１の位置に保持された状態を示し、図５（ｃ）は差込プラグ３が第２の位置に保持された状態を示す。
【発明を実施するための形態】
【００１８】
図１は、本発明の一実施形態の医療用ガス配管接続装置１を示す縦断面図であり、図２は図１におけるガス供給ソケット２を矢符ＩＩ方向から見た正面図であり、図３はソケット部８から係止ピン２７〜３０を離脱させた状態を示す分解斜視図である。図示の医療用ガス配管接続装置１は、大略的に病室壁部に設置された筐体に収容されるガス供給ソケット２と、前記ガス供給ソケット２に着脱自在に装着される差込プラグ３とによって構成される。このように、前記病室壁部に、図示の医療用ガス配管接続装置１を直接設ける構成に代えて、本発明の他の実施形態では、前記医療用ガス配管接続装置１を、他の医療用ガス配管接続装置や電気配線接続装置とともに並べてユニット化して前記病室壁部に設置してもよい。
【００１９】
ガス供給ソケット２は、ガスの流入口４および排出口５を備えたソケット本体６と、前記ソケット本体６内に、前記排出口５の軸線Ｌに沿って弾発的に付勢された状態で設置された弁体７と、前記排出口５にその軸線Ｌに同軸に連接されて前記差込プラグ３を気密的に差込み可能とされる筒状のソケット部８とを含む。
【００２０】
前記ソケット本体６は、前記病室壁部に固定される基体９と、この基体９に固着されたケーシング１０とを備え、基体９とケーシング１０によって実質的に弁箱を構成する。ケーシング１０は、ケーシング本体４１と、ケーシング本体４１内に収容される球状の弁体４２と、弁体４２によって開閉される弁孔４３を有するホルダ４４と、弁孔４３を外囲するようにホルダ４４に装着される環状のシール部材４５と、弁体４２をシール部材４５に向かってばね付勢するばね４６とを有する。
【００２１】
前記弁体４２は、金属または合成樹脂からなる。前記シール部材４５は、可撓性および断発性を有する材料、たとえばゴム、合成ゴムまたは合成樹脂からなる断面円形の部材であり、Ｏリングによって実現される。このようなシール部材４５は、弁体４２が着座する弁座を構成する。前記ばね４６は、圧縮コイルばねによって実現され、弁体４２をシール部材４５に着座した状態に保つ。これらの弁体４２、ホルダ４４、シール部材４５およびばね４６を含んで、前記弁体７よりもガスの流れ方向上流側、すなわち供給源１１側に、流路開閉手段が構成される。
【００２２】
ケーシング本体４１は、弁体４２およびばね４６が収容され、ホルダ４４がシール部材４５とともに装着される弁室４７を規定する基部４８と、弁室４７に軸線方向に連通する嵌合空間４９を規定する円筒状の筒部５０とを有する。基部４８にはまた、前記管継手４０が溶接またはパッキングされて気密に接続される接続孔５１と、接続孔５１と弁室４７とを連通する通路５２とが形成される。
【００２３】
前記筒部５０の内周部には、内ねじが刻設された内ねじ部６０が形成され、前記ソケット本体６には、外ねじが刻設された外ねじ部６１が形成される。ソケット本体６の外ねじ部６１は、ケーシング１０の内ねじ部６０に螺合し、ソケット本体６がケーシング１０に着脱可能に取付けられる。ケーシング１０とソケット本体とは、それらの間に介在される環状のシール部材６８によって、気密に接続される。シール部材６８は、Ｏリングからなる。
【００２４】
フィルタ１２には、弁座リング６４が螺着され、ゴム製のパッキン１５ａとともにソケット本体６の取付孔６６に収容され、ナット６７によって抜止めされる。ナット６７は、外周部に外ねじが刻設された外ねじ部６２を有し、この外ねじ部６２は前記ソケット本体６の内周部に内ねじが刻設された内ねじ部６３に螺合し、フィルタ１２がソケット本体６に着脱可能に取付けられる。
【００２５】
フィルタ１２は、たとえば金属粉末を焼結した多孔質材料からなり、直円筒状の筒部１２ａと、筒部１２ａの軸線方向一端部を塞ぐ底部１２ｂと、底部１２ｂから軸線方向外方に突出して形成される円柱状の突起１２ｃと、筒部１２ａの軸線方向他端部から半径方向外方に突出するフランジ１２ｄとを有する。これらの筒部１２ａ、底部１２ｂ、突起１２ｃおよびフランジ１２ｄは、一体的に形成される。フィルタ１２のフランジ１２ｄは、ソケット本体６の内ねじ部６３に螺着されたナット６７によって押圧されて抜止めされる。
【００２６】
ケーシング１０には、前記流入口４を有する管継手４０が設けられており、この管継手４０に接続されたチューブなどの管体を介して所定ガスの供給源１１がケーシング１０に接続されて、ケーシング１０内に供給源１１からの所定ガス圧で酸素、空気、笑気などの医療用ガスが導入され、また汚物などを吸引するための吸引力が導かれている。
【００２７】
前記ケーシング１０内には、フィルタ１２が前述のように設置され、このフィルタ１２の底部１２ｂには、圧縮ばね１３の基端部が当接して支持され、圧縮ばね１３の先端部には、前記弁体７が装着される。弁体７は、フィルタ１２に保持された圧縮ばね１３によって、前記軸線Ｌに沿って前記排出口５に向かって弾発的にばね付勢されている。弁体７の先端部側には、Ｏリング７ａが装着され、弁体７が弾発的に付勢された状態で、このＯリング７ａが前記排出口５の内周縁部に形成された弁座部５ａに弾発的に当接し、これによって排出口５が閉鎖状態とされる。
【００２８】
前記ソケット本体６における前記排出口５と、前記ソケット部８の筒部７３との間には、挿入筒部８ｂよりも内径が小さく、差込プラグ３の円筒状の先端部３ｃが軸線Ｌと平行に挿入自在でかつパッキン１５を挿入方向下流側（図１の左側）から装着されて保持する絞り部１４が形成され、この絞り部１４の内周部に差込まれた差込プラグ３との間の気密性を保つため、絞り部１４と弁座リング６４との間にはパッキン１５ａが装着されている。ソケット部８は、前記ソケット本体６に対し、前記排出口５および絞り部１４と同軸に固着され、その排出口５とは反対側の開口部が差込口８ａとされ、この差込口８ａを介して着脱自在に差込プラグ３が差込み可能とされている。
【００２９】
図４は作動リング１９の縦断面図である。前記作動リング１９には、その先側より前記排出口５側に向かって軸線Ｌを含む仮想一平面に関して離反する方向に傾斜して形成された長孔状の第１のガイド孔１５，１６，１７，１８が形成されている。これらの第１のガイド孔における一方のガイド孔１５，１６の対は、その長手軸線が互いに平行で、かつ同形および同じ大きさに形成され、他方のガイド孔１７，１８の対は、前記ガイド孔１５，１６の対と前記軸線Ｌを含む仮想一平面に関して面対称に、前記ソケット部８の周壁に形成されている。
【００３０】
前記ソケット部８には、前記軸線Ｌに沿ってスライド可能に作動リング１９が外装されており、この作動リング１９には、カバーリング２０が一体に固着されている。このカバーリング２０と、前記基体９との間には圧縮ばね２２が圧縮状態で装着され、これによって作動リング１９がカバーリング２０とともに、軸線Ｌに沿ってソケット部８の先端部に向けて弾発的にばね付勢された状態とされている。
【００３１】
ソケット部８の周壁部には、前記軸線Ｌを含む仮想一平面に対して垂直でかつ離反する方向に延びる長孔状の第２のガイド孔２３，２４，２５，２６が形成されている。これらの第２のガイド孔２３〜２６における一方のガイド孔２３，２４の対は、その長手軸線が互いに平行で、かつ同形および同じ大きさに形成され、他方のガイド孔２５，２６の対は、前記ガイド孔２３，２４の対と前記軸線Ｌを含む仮想一平面に関して面対称に前記作動リング１９の周壁に形成されている。そして、軸線Ｌに沿って隣り合う前記第１のガイド孔１５，１６；１７，１８と、第２のガイド孔２３，２４；２５，２６とは、同じピッチとされ、かつ、作動リング１９に対して軸線Ｌ方向に外力を付与しない状態においては、各第１のガイド孔１５，１６；１７，１８および第２のガイド孔２３，２４；２５，２６の前記軸線Ｌに近い部分が、図１に示すように側面視した状態で、紙面に垂直な方向にそれぞれが連通するように形成されている。
【００３２】
前記作動リング１９にはまた、周方向に１８０°間隔をあけて軸線Ｌ方向に延びる一対の案内長孔７１ａ，７１ｂが形成される。各案内長孔７１ａ，７１ｂには、ソケット部８の周壁部に軸線Ｌに垂直な軸線を有するビス７２ａ，７２ｂがそれぞれ嵌まり込み、作動リング１９が軸線Ｌ方向に移動可能な状態で抜止めされる。
【００３３】
前記のように、第１のガイド孔１５，１６，１７，１８および第２のガイド孔２３，２４，２５，２６がオーバーラップする部分には、断面が平行四辺形の棒状係止ピン２７，２８，２９，３０が、その両端部が挿入された状態で保持されている。これらの係止ピン２７，２８，２９，３０は、図１の紙面に垂直な軸線Ｌを含む仮想一平面に関して互いに近接する方向にばね付勢され、後述の係合溝３３とともにロック手段を構成する。そして、前記挿通保持状態では、各係止ピン２７，２８，２９，３０の一部がソケット部８の内壁面から軸線Ｌを含む仮想一平面側、すなわち内方に突出した状態とされる。他の実施形態では、前記係止ピン２７，２８，２９，３０は、断面が円形であってもよい。
【００３４】
前記差込プラグ３は、中空の筒状体からなり、断面が円柱状のグリップ部３ａと、このグリップ部３ａの先側（差込側）には差込プローブ３ｂが連接され、差込プローブ３ｂの先端側は先細りの円錐台状部３ｇを経て直円筒状の先端部３ｃが一体的に形成され、この先端部３ｃにはガスの流入口３ｄが形成されている。前記先端部３ｃが弁体７の環状部分７ｂをパッキン１５ａとともに押圧する位置まで差込プラグ３が差込まれ、前記ロック手段３３によって、この位置に保持された状態では、先端部３ｃによって前記弁体７が前記圧縮ばね１３の弾発力に抗して押圧され、これによって、弁体７が後退し、排出口５が開放される。なお、供給源１１側の弁体４２はフィルタ１２の突起１２ｃによってシール部材４５から離間した状態で支持され、常開の状態に設定されている。前記下流側の弁体７が前述のように差込プラグ３によって押圧されて開弁されることによって、ケーシング１０内の医療用ガスが、排出口５および流入口３ｄを経て差込プラグ３内の通路３ｅに供給される。
【００３５】
前記グリップ部３ａの基端側には、図示しない可撓管の一端部が接続され、この可撓管の他端部に装着された治療器具、たとえば、酸素マスクなどに医療用ガスが導かれて放出され、所定の治療に供される。前記ソケット部８の絞り部１４は、前記差込口８ａに連なり、前記グリップ部３ａが挿入される挿入筒部８ｂが形成され、この挿入筒部８ｂ内には断面円形に形成された前記ロック手段３３の作動空間８ｃが形成される。
【００３６】
前記第１のガイド孔１５，１６の前記差込方向側近傍部位における前記ソケット部８の周壁部には、光軸が係止ピン２７，２８と平行な光センサ３４，３５が埋設されている。光センサ３４，３５は、発光部と受光部とからなる、たとえばフォトインタラプタなどの公知の光センサによって実現することができ、前記ソケット部８の周壁における係止ピン２７，２８と平行な対向位置に各一対の発光部と受光部とがそれぞれ対向して埋設されている。図１では、発光部と受光部のうちの一方のみを図示している。
【００３７】
前記カバーリング２０は、図２に示すように、表面に酸素ガス用であることを明示するための識別符３６が印刷されている。また、２個所のカット面には、発光色の異なる発光ダイオード（Light Emitting Diode：略称ＬＥＤ）からなる表示手段としての表示部３７，３８が設けられている。この表示部３７，３８は、前記光センサ３４，３５の検出信号に基づき、たとえば、一方の表示部３７が点灯している場合は、差込プラグ３が後記する第１の位置にあることを示し、他方の表示部３８が点灯している場合は、同じく第２の位置にあることを示すよう構成される。なお、表示部を１個とし、前記２種の位置に応じて発光色を変えるようにしたり、あるいは、「ガス閉」（第１の保持位置）や「ガス開」（第２の保持位置）などのような具体的な文字による表示形態とすることも可能である。
【００３８】
前記カバーリング２０の中央部には、円形孔２０ａが形成され、この円形孔２０ａから前記ソケット部８の端部が露出している。ソケット部８の差込口８ａからは、これに続く前記挿入筒部８ｂ、作動空間８ｃ、その奥の前記絞り部１４、弁体７および係止ピン２７，２８；２９，３０などが視認される。前記差込プラグ３をガス供給ソケット２に差込む際は、図１に示す矢符ＩＩ方向に沿って、前記先端部３ｃから前記ソケット部８の差込口８ａに差込む。そして、グリップ部３ａを、前記挿入筒部８ｂに整合するように嵌入させる。差込プラグ３が酸素ガス用でない場合は、差込プラグ３のグリップ部３に周方向に位置を違えて複数（本実施形態では２）のピン７６ａ，７６ｂが設けられ、ソケット部８には複数（本実施形態では２）のピン孔７５ａ，７５ｂを周方向に位置を違えて設け、各ピン７６ａ，７６ｂおよびピン孔７５ａ，７５ｂの周方向の位置によって医療用ガスの種類または吸引力に対する差込プラグ３およびガス供給ソケット２の誤装着を防止するように構成されるので、異なった種類の差込プラグが誤ってソケット部８に誤装着されることはない。
【００３９】
次に、差込プラグ３をガス供給ソケット２に差込む際、あるいは、取外す際におけるロック手段３３の挙動、および、前記第１および第２位置での保持状態について、図５（ａ）〜図５（ｃ）を参照して説明する。図１ならびに図５（ａ）〜図５（ｃ）に示すように、ロック手段３３を構成する係止溝部３２は、差込プラグ３の外周部に軸線Ｌを中心に形成された環状の凹溝であり、前記作動空間８ｃの内径より小とされている。
【００４０】
このように差込プラグ３を、図１に示す状態から、矢符ＩＩ方向に軸線Ｌに沿って、ソケット部８に差込んでゆくと、係止溝部３２が、係止ピン２７（または２９）のソケット部８内に突出する部分に近接する位置に達する。そのまま、強く差込プラグ３を差込めば、前記圧縮ばね２２の弾発力に抗して、作動リング１９をソケット本体６側に押しやり、これとともに下流側の係止ピン２７，２９が係止溝部３２に嵌まり込み、係止ピン２７（または２９）が、第２のガイド孔２３（または２５）および第１のガイド孔１５（または１７）の規制作用を受けて、第１のガイド孔１５（または１７）の長手方向に沿ってソケット本体６側に移動する。このとき係止ピン２８（または３０）も同様に、第１のガイド孔１６（または１８）の長手方向に沿って移動する。このようなカバーリング２０の押込み操作によって、前記圧縮ばね２２の圧縮を伴いながら作動リング１９がソケット部８の外周に沿ってソケット本体６側にスライド移動する。
【００４１】
作動リング１９のスライド移動に伴い、第２のガイド孔２３，２４，２５，２６および第１のガイド孔１５，１６，１７，１８の複合した規制作用を受けて、係止ピン２７，２８，２９，３０が、第１のガイド孔１５，１６，１７，１８内を摺動移動して、ソケット部８の周壁部内に埋入するようになり、ソケット部８の内壁面から突出する部分がない状態となる。したがって、差込プラグ３の差込みに障害となるものがなくなり、そのまま、係止溝部３２が、図５（ａ）に示すように、第１のガイド孔１５（または１７）よりも差込み方向ＩＩ上流側に位置するまで差込プラグ３がスムースに差込まれる。
【００４２】
この状態では、圧縮ばね２２の圧縮復元力により、カバーリング２０とともに作動リング１９が、元の位置に戻り、これに伴い、係止ピン２７，２８，２９，３０が、第２のガイド孔２３，２４，２５，２６および第１のガイド孔１５，１６，１７，１８の複合した規制作用を受けて、図５（ａ）に示すように一部がソケット部８の内壁面より内方に突出する位置に復帰する。
【００４３】
この状態から差込プラグ３をさらに差し込むと、図５（ｂ）に示すように、係止ピン２７，２９係止溝部３２に嵌まり込み、その規制作用によって、差込プラグ３が軸線Ｌに沿った引抜き方向への移動が阻止された状態に保持され、この保持位置が第１の位置とされる。この第１の位置に保持された状態では、差込プラグ３の先端部３ｃは、まだ前記弁体７に当接しておらず、前記排出口５は閉鎖されたままである。通常の使用状態では、この第１の位置に差込プラグ３を保持させた状態が待機状態とされる。
【００４４】
そして、ガスの供給が必要となったとき、あるいは吸引力を導入するときには、図５（ｂ）の状態から差込プラグ３をさらに押込むと、前述と同様に、係止ピン２７，２８，２９，３０がソケット部８の周壁内に退避し、前記先端部３ｃが弁体７に当接する位置に達する。この当接した状態で、差込プラグ３を前記圧縮ばね１３の弾発力に抗して押込むと、弁体７が後退して前記Ｏリング７ａが弁座５ａから離れ、排出口５が開放される。
【００４５】
この状態では、圧縮ばね２２の圧縮復元力によって、カバーリング２０とともに作動リング１９が元の位置に戻り、これに伴い、係止ピン２７，２８，２９，３０が、第２のガイド孔２３，２４，２５，２６および第１のガイド孔１５，１６，１７，１８の複合した規制作用を受けて、図５（ｃ）に示すように一部がソケット部８の内壁面より突出する位置に復帰する。
【００４６】
また係止溝部３２が係止ピン２８（または３０）の間に位置し、また、係止溝部３２が係止ピン２８（または３０）のソケット本体６側部分に近接して位置する。係止ピン２８（または３０）の係止溝部３２に対する規制作用によって、差込プラグ３が軸線Ｌに沿った前後いずれの方向へも移動が阻止された状態に保持され、この保持位置が第２の保持位置とされる。このとき、供給源１１側の弁体４２は、ガス供給ソケット２が組み立てられた状態において、シール部材４５から離反して開弁状態に設定されている。したがって差込プラグ３を挿入して弁体７が押圧されると、ガスが弁体７と弁座５ａとの間の弁孔を経て、差込プラグ３内のガス管路から所定の治療対象部位に導かれて使用される。
【００４７】
また、カバーリング２０を押圧操作すると、差込プラグ３の挿入方向下流側（図１の左側）の係止ピンの係止溝部３２へ係止状態が解除して、差込プラグ３をガス供給ソケットから取り外すと、弁体７はばね力によって閉鎖し、ガスの流出が遮断される。
【００４８】
図５（ｂ）に示すように、差込プラグ３が第１の保持位置にあるときは、係止溝部３２が光センサ３４の光路を遮断し、また、他方の光センサ３５はその光路が遮断されていない状態であり、受光部によるこの２種の検出信号により、前記表示部３７，３８において、差込プラグ３が第１の保持位置に保持されていることを表示させることができる。また、図５（ｃ）に示すように、差込プラグ３が第２の位置にあるときは、係止溝部３２によって、両光センサ３４，３５の光路が遮断された状態であり、受光部によるこの２種の検出信号により、前記表示部３７，３８において、差込プラグ３が第２の保持位置に保持されていることを表示させることができる。
【００４９】
したがって、術者は、この表示部３７，３８の表示状態を見て、差込プラグ３が第１および第２のいずれの位置に保持された状態か、また、ガスの供給が阻止されている状態か、供給がなされている状態かの識別判断を簡易に行うことができる。また、差込プラグ３の差込操作を、この表示部３７，３８を見ながら行うようにすれば、差込プラグ３を所望の第１および第２のいずれかの位置に的確に保持させることができる。
【００５０】
差込プラグ３を取り外す際は、カバーリング２０を前記と同様に押込み操作して、係止ピン２７，２８，２９，３０をソケット部８の周壁部内に退避させるようにすれば、極めて簡易に引き抜き操作を行うことができる。このとき、図５（ｃ）の第２の保持位置から、図５（ｂ）の第１の保持位置にまで差込プラグ３を取り外し、この位置で保持させようとする場合、前記と同様に表示部３７，３８を見ながらこれを行うようにすれば、この位置設定が的確になされる。また、差込プラグ３の取外し操作の際、係止溝部３２から先端部３ｃにわたって形成される円錐台状部３ｇの外周面の傾斜角度αが各係止ピン２７，２８，２９，３０の摺動面の傾斜角度θよりも緩やかであるから、カバーリング２０の押し込み操作によって係止ピン２７，２８，２９，３０差込プラグ３から退避させ、差込プラグ３を円滑に引抜いて取り外すことができる。
【００５１】
なお、実施形態では、ロック手段３３を構成する係止ピン２７，２８および２９，３０がソケット部８の対向位置に設けられている例について述べたが、これに限らず、ソケット部８の周方向の適宜位置に配するようにしてもよい。また、係止ピン２７〜３０と、係止溝部３２とからロック手段３３が構成される例について述べたが、これに代えて、ソケット部８の周壁部にその内壁面より弾発的に出没可能に設けられた複数のボールと、係止溝部３２との組合せにより構成することも可能であり、またロック部材を係止ピンとボールとの組合せによって構成することも可能である。
【００５２】
さらに、表示部３７，３８をカバーリング２０に設けた例について述べたが、医療用ガス配管接続装置１の近傍の病室壁部や、前述のように他の接続装置とともに医療用ガス配管接続装置１がユニット化されている場合は、ユニットフレームなどに設けるようにしてもよい。また、前記位置検出のための光センサ３４，３５に代えて、他の機械的センサ、磁気的センサあるいは電気的センサを用いることも可能である。
【００５３】
前述の実施形態では、長手方向に垂直な断面が平行四辺形の係止ピン２７〜３０について述べたが、本発明の他の実施形態では、これに限るものではなく、その他の形状、例えば鉤状の断面を有する棒状態であってもよく、断面が四角形であってもよく、その他の多角形であってもよい。さらに差込プラグ３のグリップ部３に周方向に位置を違えて複数（本実施形態では２）のピン７６ａ，７６ｂを設け、ソケット部８には複数（本実施形態では２）のピン孔７５ａ，７５ｂを周方向に位置を違えて設け、各ピン７６ａ，７６ｂおよびピン孔７５ａ，７５ｂの周方向の位置によって医療用ガスの種類または吸引力に対する差込プラグ３およびガス供給ソケット２の誤装着を防止するように構成されてもよい。また、各ピン７６ａ，７６ｂおよび各ピン孔７５ａ，７５ｂが嵌合する構成に代えて、ソケット部８の挿入筒部８ｂの内周形状および差込プラグ３の差込プローブ３ｂの外周形状を、ガスの種類または吸引力に応じて軸直角断面が四角形、六角形などの多角形、円形、楕円形などに異ならせて、形状が一致する差込プラグ３だけが差し込み可能とし、誤装着を防止するようにしてもよい。
【００５４】
本発明のさらに他の実施形態では、ソケット部８をケーシング１０に装着すると、弁体４２が変位して弁孔４３を開放し、ソケット部８をケーシング１０から離脱させると、前記圧縮ばね４６を設けずにガス供給源１１からのガス圧によって前記弁孔を閉鎖するように設定圧力等に作動するように構成されてもよい。
【００５５】
このような流路開閉手段によって、ソケット部８をケーシング１０に装着すると、弁孔４３を開放し、ソケット部８をケーシング１０から離脱させると、ガス供給源１１からのガス圧によって前記弁孔４３を閉鎖することができ、前記弁孔４３を開閉するための弁体など部品を閉弁状態に保持するばねを必要とせず、部品点数を削減して、ガス供給ソケットの構成を簡素化することができる。
【符号の説明】
【００５６】
１  医療用ガス配管接続装置
２  ガス供給ソケット
３  差込プラグ
４  ガスの流入口
５  ガスの排出口
６  ソケット本体
７，４２  弁体
８  ソケット部
１５，１６，１７，１８  第１のガイド孔
２３，２４，２５，２６  第２のガイド孔
２７，２８，２９，３０  係止ピン
３２  係止溝部
３３  ロック手段
３７，３８  表示部
Ｌ  軸線
【図１】
0005486411.tif 000002
【図２】
0005486411.tif 000003
【図３】
0005486411.tif 000004
【図４】
0005486411.tif 000005
【図５】
0005486411.tif 000006